【手続補正書】
【提出日】平成17年3月18日(2005.3.18)
【手続補正１】
【補正対象書類名】明細書
【補正対象項目名】発明の名称
【補正方法】変更
【補正の内容】
【発明の名称】複合ＩＣカード及び複合ＩＣカード用ＩＣモジュール
【手続補正２】
【補正対象書類名】明細書
【補正対象項目名】特許請求の範囲
【補正方法】変更
【補正の内容】
【特許請求の範囲】
【請求項１】
接触式インターフェイス及び非接触式インターフェイスを有し、接触式インターフェイス又は非接触式インターフェイスにより駆動される複合ＩＣカードにおいて、
前記接触式インターフェイスを介して駆動されている間は、前記非接触式インターフェイスの動作を禁止状態とする動作禁止手段を有することを特徴とする複合ＩＣカード。
【請求項２】
アンテナとこのアンテナを介して受信した信号により駆動電力を生成して動作する非接触式インタ−フェイスと接触式で駆動電力および信号の授受を行なう接触式インターフェイスとを有し、接触式インターフェイス又は非接触式インターフェイスにより駆動される複合ＩＣカードにおいて、
前記接触式インターフェイスを介して駆動されている間、前記アンテナと非接触式インターフェイスとの導通を遮断することにより非接触式インターフェイスの動作を動作禁止状態とする禁止手段を有することを特徴とする複合ＩＣカード。
【請求項３】
アンテナとこのアンテナを介して受信した信号により駆動電力を生成して動作する非接触式インタ−フェイスと接触式で駆動電力および信号の授受を行なう接触式インターフェイスとを有し、接触式インターフェイス又は非接触式インターフェイスにより駆動される複合ＩＣカードにおいて、
前記アンテナと非接触式インターフェイスとの導通をオン・オフするスイッチを有し、前記接触式インターフェイスを介して複合ＩＣカードに駆動電圧が印可されている間はこのスイッチをオフとするようにしたことを特徴とする複合ＩＣカード。
【請求項４】
接触式インターフェイス及び非接触式インターフェイスを有し、接触式インターフェイス又は非接触式インターフェイスにより駆動される複合ＩＣカードにおいて、
前記非接触式インターフェイスを介して駆動されている間は、前記接触式インターフェイスを介しての信号の入出力を禁止状態とする禁止手段を有することを特徴とする複合ＩＣカード。
【請求項５】
接触式インターフェイスと、非接触式インターフェイスと、前記接触式インターフェイス又は非接触式インターフェイスを介して受信したデータの処理を行なう制御回路とを有し、前記接触式インターフェイス又は非接触式インターフェイスにより駆動される複合ＩＣカードにおいて、
前記非接触式インターフェイスを介して駆動されている間は前記接触式インターフェイスと前記制御回路との間の信号人出力を禁止状態とする禁止手段を有することを特徴とする複合ＩＣカード。
【請求項６】
駆動電力およびデータ等の授受を行なうための複数の接触端子から成る接触式インターフェイスと、
アンテナと、
このアンテナを介して受信した信号により駆動電力の生成および受信データの復調を行なう非接触式インターフェイスと、
接触式インターフェイス又は非接触式インターフェイスを介して受信したデータの処理を行う制御回路と、前記接触式インターフェイスの各接触端子と制御回路の間の接続をオン・オフするスイッチとを有し、
前記非接触式インターフェイスを介して駆動されている間は前記スイッチをオフすることで前記接触式インターフェイスを介しての駆動電力およびデータ等の授受を禁止するようにしたことを特徴とする複合ＩＣカード。
【請求項７】
接触式インターフェイス及び非接触式インターフェイスを有し、接触式インターフェイス又は非接触式インターフェイスにより駆動される複合ＩＣカードにおいて、
前記接触式インターフェイスを介して駆動されている間は前記非接触式インターフェイスを介しての信号の入出力を禁止状態とする禁止手段を有することを特徴とする複合ＩＣカード。
【請求項８】
接触式インターフェイスと、非接触式インターフェイスと、前記接触式インターフェイス又は非接触式インターフェイスを介して受信したデータの処埋を行なう制御回路とを有し、前記接触式インターフェイス又は非接触式インターフェイスにより駆動される複合ＩＣカードにおいて、
前記接触式インターフェイスを介して駆動されている間は前記非接触式インターフェイスと制御回路との間の信号入出力を禁止状態とする禁止手段を有することを特徴とする複合ＩＣカード。
【請求項９】
駆動電力およびデータ等の授受を行なうための複数の接触端子から成る接触式インターフェイスと、
アンテナと、
このアンテナを介して受信した信号により駆動電力の生成および受信データの復調を行なう非接触式インターフェイスと、
接触式インターフェイス又は非接触式インターフェイスを介して受信したデータの処理を行なう制御回路と、
前記非接触式インターフェイスと前記制御回路の間の接続をオン・オフするスイッチとを有し、前記接触式インターフェイスを介して駆動されている間は前記スイッチをオフすることで前記非接触式インターフェイスを介しての駆動電力およびデータ等の授受を禁止するようにしたことを特徴とする複合ＩＣカード。
【請求項１０】
接触式インターフェイス及び非接触式インターフェイスを有し、接触式インターフェイス又は非接触式インターフェイスにより駆動される複合ＩＣカードにおいて、
前記非接触式インターフェイスを介して駆動されている間は前記接触式インターフェイスを介しての信号の入出力を禁止状態とする第１の禁止手段と、
前記接触式インターフェイスを介して駆動されている間は前記非接触式インターフェイスを介しての信号の入出力を禁止状態とする第２の禁止手段とを有することを特徴とする複合ＩＣカード。
【請求項１１】
接触式インターフェイスと、非接触式インターフェイスと、前記接触式インターフェイス又は非接触式インターフェイスを介して受信したデータの処理を行なう制御回路とを有し、接触式インターフェイス又は非接触式インターフェイスにより駆動される複合ＩＣカードにおいて、
前記接触式インターフェイスを介して駆動されている間は前記非接触式インターフェイスと前記制御回路との間の信号入出力を禁止状態とする第１の禁止手段と、
前記非接触式インターフェイスを介して駆動されている間は前記接触式インターフェイスと前記制御回路との問の信号入出力を禁止状態とする第２の禁止手段とを有することを特徴とする複合ＩＣカード。
【請求項１２】
駆動電力およびデータ等の授受を行なうための複数の接触端子から成る接触式インターフェイスと、
アンテナと、
このアンテナを介して受信した信号により駆動電力の生成および受信データの復調を行なう非接触式インターフェイスと、
接触式インターフェイス又は非接触式インターフェイスを介して受信したデータの処理を行なう制御回路と、前記非接触式インターフェイスと前記制御回路の間の接続をオン・オフする第１のスイッチと、
前記接触式インターフェイスの各接触端子と制御回路の間の接続をオン・オフする第２のスイッチとを有し、
前記接触式インターフェイスを介して駆動されている間は前記第１のスイッチをオフすることで前記非接触式インターフェイスを介しての駆動電力およびデータ等の授受を禁止し、前記非接触式インターフェイスを介して駆動されている間は前記第２のスイッチをオフすることで前記接触式インターフェイスを介しての駆動電力およびデータ等の授受を禁止するようにしたことを特徴とする複合ＩＣカード。
【請求項１３】
接触式インターフェイス及び非接触式インターフェイスを有し、接触式インターフェイス又は非接触式インターフェイスにより駆動される複合ＩＣカードにおいて、
前記非接触式インターフェイスを介して駆動されている間は前記接触式インターフェイスを介しての信号の入出力を禁止状態とする第１の禁止手段と、
前記接触式インターフェイスを介して駆動されている間は前記非接触式インターフェイスを介しての信号の入出力を禁止状態とする第２の禁止手段と、
前記接触式インターフェイスを介して駆動されている間は前記非接触式インターフェイスの動作を動作禁止状態とする第３の禁止手段とを有することを特徴とする複合ＩＣカード。
【請求項１４】
駆動電力およびデータ等の授受を行なうための複数の接触端子から成る接触式インターフェイスと、
アンテナと、
このアンテナを介して受信した信号により駆動電力の生成および受信データの復調を行う非接触式インターフェイスと、
接触式インターフェイス又は非接触式インターフェイスを介して受信したデータの処理を行なう制御回賂と、
前記非接触式インターフェイスと前記制御回路の間の接続をオン・オフする第１のスイッチと、
前記接触式インターフェイスの各接触端子と制御回路の間の接続をオン・オフする第２のスイッチと、
前記アンテナと非接触式インターフェイスとの導通をオン・オフする第３のスイッチとを有し、
前記接触式インターフェイスを介して駆動されている間は前記第１のスイッチおよび第３のスイッチをオフすることで前記非接触式インターフェイスを介しての駆動電力およびデータ等の授受を禁止し、前記非接触式インターフェイスを介して駆動されている間は前記第２のスイッチをオフすることで前記接触式インターフェイスを介しての駆動電力およびデータ等の授受を禁止するようにしたことを特徴とする複合ＩＣカード。
【請求項１５】
接触式インターフェイス及び非接触式インターフェイスを有し、接触式インターフェイス又は非接触式インターフェイスにより駆動される複合ＩＣカード用ＩＣモジュールにおいて、
前記接触式インターフェイスを介して駆動されている間は前記非接触式インターフェイスの動作を動作禁止状態とする禁止手段を有することを特徴とする複合ＩＣカード用ＩＣモジュール。
【請求項１６】
接触式インターフェイス及び非接触式インターフェイスを有し、接触式インターフェイス又は非接触式インターフェイスにより駆動される複合ＩＣカード用ＩＣモジュールにおいて、
前記非接触式インターフェイスを介して駆動されている間は前記接触式インターフェイスを介しての信号の入出力を禁止状態とする第１の禁止手段と、
前記接触式インターフェイスを介して駆動されている間は前記非接触式インターフェイスを介しての信号の入出力を禁止状態とする第２の禁止手段と、
前記接触式インターフェイスを介して駆動されている間は前記非接触式インターフェイスの動作を動作禁止状態とする第３の禁止手段とを有することを特徴とする複合ＩＣカード用ＩＣモジュール。
【手続補正３】
【補正対象書類名】明細書
【補正対象項目名】０００１
【補正方法】変更
【補正の内容】
【０００１】
【発明の属する技術分野】
本発明は、接触式及び非接触式インターフェイスを有する複合ＩＣカードに係り、特に、いずれのインターフェイスから駆動された場合でも誤動作を防止することにより、複合ＩＣカードとしての信頼性を十分に確保するようにした複合ＩＣカード及び複合ＩＣカード用ＩＣモジュールに関する。
【手続補正４】
【補正対象書類名】明細書
【補正対象項目名】０００２
【補正方法】変更
【補正の内容】
【０００２】
【従来の技術】
従来より接触式及び非接触式インターフェイスを有するＩＣカードとして、特公平４−１６８３１号公報に示されるようなものが知られている。すなわち、特公平４−１６８３１号公報に示される複合ＩＣカードは、メモリ及びＣＰＵを有すると共に、外部からの入力に応答して信号を発生するＩＣを備え、外部機器と接触して通信するための電気的接点機構と、外部機器と非接触で通信するためのアンテナ機構とを併設したカードである。
【手続補正５】
【補正対象書類名】明細書
【補正対象項目名】０００３
【補正方法】変更
【補正の内容】
【０００３】
そして、この複合ＩＣカードは、電気的接点機構に接続した外部機器によりメモリの内容の書込み、変更が可能であり、外部機器と非接触で通信する場合にはメモリ内の特定情報を変調してアンテナ機構から出力するように構成されている。また、特開平９−３２６０２１号公報には、端末装置から供給される電圧により充電されるバッテリを内蔵した複合ＩＣカードが開示されている。
【手続補正６】
【補正対象書類名】明細書
【補正対象項目名】０００５
【補正方法】変更
【補正の内容】
【０００５】
そこで、本発明は以上のような点に鑑みてなされたもので、接触式及び非接触式インターフェイスを有する複合ＩＣカードにおいて、いずれのインターフェイスから駆動された場合でも誤動作を防止することにより、複合ＩＣカードとしての信頼性を十分に確保するようにした複合ＩＣカード及び複合ＩＣカード用ＩＣモジュールを提供することを目的としている。
【手続補正７】
【補正対象書類名】明細書
【補正対象項目名】０００６
【補正方法】変更
【補正の内容】
【０００６】
【課題を解決するための手段】
本発明によると、上記課題を解決するための手段として、  
１．接触式インターフェイス及び非接触式インターフェイスを有し、接触式インターフェイス又は非接触式インターフェイスにより駆動される複合ＩＣカードにおいて、  
前記接触式インターフェイスを介して駆動されている間は、前記非接触式インターフェイスの動作を禁止状態とする動作禁止手段を有することを特徴とする複合ＩＣカードが提供される。
【手続補正８】
【補正対象書類名】明細書
【補正対象項目名】０００７
【補正方法】変更
【補正の内容】
【０００７】
また、本発明によると、上記課題を解決するための手段として、  
２．アンテナとこのアンテナを介して受信した信号により駆動電力を生成して動作する非接触式インタ−フェイスと接触式で駆動電力および信号の授受を行なう接触式インターフェイスとを有し、接触式インターフェイス又は非接触式インターフェイスにより駆動される複合ＩＣカードにおいて、  
前記接触式インターフェイスを介して駆動されている間、前記アンテナと非接触式インターフェイスとの導通を遮断することにより非接触式インターフェイスの動作を動作禁止状態とする禁止手段を有することを特徴とする複合ＩＣカードが提供される。
【手続補正９】
【補正対象書類名】明細書
【補正対象項目名】０００９
【補正方法】変更
【補正の内容】
【０００９】
また、本発明によると、上記課題を解決するための手段として、  
４．接触式インターフェイス及び非接触式インターフェイスを有し、接触式インターフェイス又は非接触式インターフェイスにより駆動される複合ＩＣカードにおいて、  
前記非接触式インターフェイスを介して駆動されている間は、前記接触式インターフェイスを介しての信号の入出力を禁止状態とする禁止手段を有することを特徴とする複合ＩＣカードが提供される。
【手続補正１０】
【補正対象書類名】明細書
【補正対象項目名】００１０
【補正方法】変更
【補正の内容】
【００１０】
また、本発明によると、上記課題を解決するための手段として、  
５．接触式インターフェイスと、非接触式インターフェイスと、前記接触式インターフェイス又は非接触式インターフェイスを介して受信したデータの処理を行なう制御回路とを有し、前記接触式インターフェイス又は非接触式インターフェイスにより駆動される複合ＩＣカードにおいて、  
前記非接触式インターフェイスを介して駆動されている間は前記接触式インターフェイスと前記制御回路の間の信号人出力を禁止状態とする禁止手段を有することを特徴とする複合ＩＣカードが提供される。
【手続補正１１】
【補正対象書類名】明細書
【補正対象項目名】００１１
【補正方法】変更
【補正の内容】
【００１１】
また、本発明によると、上記課題を解決するための手段として、  
６．駆動電力およびデータ等の授受を行なうための複数の接触端子から成る接触式インターフェイスと、  
アンテナと、  
このアンテナを介して受信した信号により駆動電力の生成および受信データの復調を行なう非接触式インターフェイスと、  
接触式インターフェイス又は非接触式インターフェイスを介して受信したデータの処理を行う制御回路と、  
前記接触式インターフェイスの各接触端子と制御回路の間の接続をオン・オフするスイッチとを有し、  
前記非接触式インターフェイスを介して駆動されている間は前記スイッチをオフすることで前記接触式インターフェイスを介しての駆動電力およびデータ等の授受を禁止するようにしたことを特徴とする複合ＩＣカードが提供される。
【手続補正１２】
【補正対象書類名】明細書
【補正対象項目名】００１２
【補正方法】変更
【補正の内容】
【００１２】
また、本発明によると、上記課題を解決するための手段として、  
７．接触式インターフェイス及び非接触式インターフェイスを有し、接触式インターフェイス又は非接触式インターフェイスにより駆動される複合ＩＣカードにおいて、  
前記接触式インターフェイスを介して駆動されている間は前記非接触式インターフェイスを介しての信号の入出力を禁止状態とする禁止手段を有することを特徴とする複合ＩＣカードが提供される。
【手続補正１３】
【補正対象書類名】明細書
【補正対象項目名】００１３
【補正方法】変更
【補正の内容】
【００１３】
また、本発明によると、上記課題を解決するための手段として、  
８．接触式インターフェイスと、非接触式インターフェイスと、前記接触式インターフェイス又は非接触式インターフェイスを介して受信したデータの処埋を行なう制御回路とを有し、前記接触式インターフェイス又は非接触式インターフェイスにより駆動される複合ＩＣカードにおいて、  
前記接触式インターフェイスを介して駆動されている間は前記非接触式インターフェイスと前記制御回路の間の信号入出力を禁止状態とする禁止手段を有することを特徴とする複合ＩＣカードが提供される。
【手続補正１４】
【補正対象書類名】明細書
【補正対象項目名】００１４
【補正方法】変更
【補正の内容】
【００１４】
また、本発明によると、上記課題を解決するための手段として、  
９．駆動電力およびデータ等の授受を行なうための複数の接触端子から成る接触式インターフェイスと、  
アンテナと、  
このアンテナを介して受信した信号により駆動電力の生成および受信データの復調を行なう非接触式インターフェイスと、  
接触式インターフェイス又は非接触式インターフェイスを介して受信したデータの処理を行なう制御回路と、前記非接触式インターフェイスと前記制御回路の間の接続をオン・オフするスイッチとを有し、  
前記接触式インターフェイスを介して駆動されている間は前記スイッチをオフすることで前記非接触式インターフェイスを介しての駆動電力およびデータ等の授受を禁止するようにしたことを特徴とする複合ＩＣカードが提供される。
【手続補正１５】
【補正対象書類名】明細書
【補正対象項目名】００１６
【補正方法】変更
【補正の内容】
【００１６】
また、本発明によると、上記課題を解決するための手段として、  
１１．接触式インターフェイスと、非接触式インターフェイスと、前記接触式インターフェイス又は非接触式インターフェイスを介して受信したデータの処理を行なう制御回路とを有し、前記接触式インターフェイス又は非接触式インターフェイスにより駆動される複合ＩＣカードにおいて、  
前記接触式インターフェイスを介して駆動されている間は前記非接触式インターフェイスと制御回路の間の信号入出力を禁止状態とする第１の禁止手段と、  
前記非接触式インターフェイスを介して駆動されている間は前記接触式インターフェイスと前記制御回路の間の信号入出力を禁止状態とする第２の禁止手段とを有することを特徴とする複合ＩＣカードが提供される。
【手続補正１６】
【補正対象書類名】明細書
【補正対象項目名】００１８
【補正方法】変更
【補正の内容】
【００１８】
また、本発明によると、上記課題を解決するための手段として、  
１３．接触式インターフェイス及び非接触式インターフェイスを有し、接触式インターフェイス又は非接触式インターフェイスにより駆動される複合ＩＣカードにおいて、  
前記非接触式インターフェイスを介して駆動されている間は前記接触式インターフェイスを介しての信号の入出力を禁止状態とする第１の禁止手段と、  
前記接触式インターフェイスを介して駆動されている間は前記非接触式インターフェイスを介しての信号の入出力を禁止状態とする第２の禁止手段と、  
前記接触式インターフェイスを介して駆動されている間は前記非接触式インターフェイスの動作を動作禁止状態とする第３の禁止手段とを有することを特徴とする複合ＩＣカードが提供される。
【手続補正１７】
【補正対象書類名】明細書
【補正対象項目名】００１９
【補正方法】変更
【補正の内容】
【００１９】
また、本発明によると、上記課題を解決するための手段として、  
１４．駆動電力およびデータ等の授受を行なうための複数の接触端子から成る接触式インターフェイスと、  
アンテナと、  
このアンテナを介して受信した信号により駆動電力の生成および受信データの復調を行う非接触式インターフェイスと、  
接触式インターフェイス又は非接触式インターフェイスを介して受信したデータの処理を行なう制御回賂と、前記非接触式インターフェイスと前記制御回路の間の接続をオン・オフする第１のスイッチと、  
前記接触式インターフェイスの各接触端子と制御回路の間の接続をオン・オフする第２のスイッチと、  
前記アンテナと非接触式インターフェイスとの導通をオン・オフする第３のスイッチとを有し、  
前記接触式インターフェイスを介して駆動されている間は前記第１のスイッチおよび第３のスイッチをオフすることで前記非接触式インターフェイスを介しての駆動電力およびデータ等の授受を禁止し、前記非接触式インターフェイスを介して駆動されている間は前記第２のスイッチをオフすることで前記接触式インターフェイスを介しての駆動電力およびデータ等の授受を禁止するようにしたことを特徴とする複合ＩＣカードが提供される。
【手続補正１８】
【補正対象書類名】明細書
【補正対象項目名】００２０
【補正方法】変更
【補正の内容】
【００２０】
また、本発明によると、上記課題を解決するための手段として、  
１５．接触式インターフェイス及び非接触式インターフェイスを有し、接触式インターフェイス又は非接触式インターフェイスにより駆動される複合ＩＣカード用ＩＣモジュールにおいて、  
前記接触式インターフェイスを介して駆動されている間は前記非接触式インターフェイスの動作を動作禁止状態とする禁止手段を有することを特徴とする複合ＩＣカード用ＩＣモジュールが提供される。
【手続補正１９】
【補正対象書類名】明細書
【補正対象項目名】００２１
【補正方法】変更
【補正の内容】
【００２１】
また、本発明によると、上記課題を解決するための手段として、  
１６．接触式インターフェイス及び非接触式インターフェイスを有し、接触式インターフェイス又は非接触式インターフェイスにより駆動される複合ＩＣカード用ＩＣモジュールにおいて、  
前記非接触式インターフェイスを介して駆動されている間は前記接触式インターフェイスを介しての信号の入出力を禁止状態とする第１の禁止手段と、  
前記接触式インターフェイスを介して駆動されている間は前記非接触式インターフェイスを介しての信号の入出力を禁止状態とする第２の禁止手段と、  
前記接触式インターフェイスを介して駆動されている間は前記非接触式インターフェイスの動作を動作禁止状態とする第３の禁止手段とを有することを特徴とする複合ＩＣカード用ＩＣモジュールが提供される。
【手続補正２０】
【補正対象書類名】明細書
【補正対象項目名】００７９
【補正方法】変更
【補正の内容】
【００７９】
【発明の効果】
以上詳述したように、この発明によれば、接触式及び非接触式インターフェイスを有する複合ＩＣカードにおいて、いずれのインターフェイスから駆動された場合でも誤動作を防止することにより、複合ＩＣカードとしての信頼性を十分に確保するようにした複合ＩＣカード及び複合ＩＣカード用ＩＣモジュールを提供することができる。